【事件の表示】
　特許第６４２８９９１号発明「小便器」の特許異議申立事件について、次のとおり決定する。
【結　論】
　特許第６４２８９９１号の明細書及び特許請求の範囲を訂正請求書に添付された訂正明細書及び特許請求の範囲のとおり、訂正後の請求項〔１〜４〕について訂正することを認める。
　特許第６４２８９９１号の請求項１ないし４に係る特許を維持する。
【理　由】
第１　手続の経緯
　特許第６４２８９９１号（以下「本件特許」という。）の請求項１〜４に係る特許についての出願は、平成２５年５月２日に出願され、平成３０年１１月９日にその特許権の設定登録がされ、平成３０年１１月２８日に特許掲載公報が発行された。本件特許異議の申立ての経緯は、次のとおりである。
　令和１年　５月２７日　　：特許異議申立人加藤浩志（以下「申立人」という。）による請求項１〜４に係る特許に対する特許異議の申立て
　令和１年　８月　１日付け：取消理由通知書
　令和１年１０月　７日　　：特許権者による意見書及び訂正請求書の提出
　令和１年１２月　４日　　：申立人による意見書の提出
第２　訂正の適否
１　訂正の内容
　令和１年１０月７日になされた訂正の請求（以下、「本件訂正請求」といい、本件訂正請求に係る訂正を「本件訂正」という。）による訂正の内容は以下のとおりである（下線は当審で付したもので、訂正箇所を示す。）。
（１）訂正事項１
　特許請求の範囲の請求項１に係る発明の記載である
　「ボウル面と、このボウル面の底部に形成され洗浄水を下流側の排水流路へ排出する排水口と、その上方端に形成された収納室と、を備えた小便器本体と、
　この小便器本体の収納室に収納され、使用者を検知する人体検知センサと、この人体検知センサからの検知信号に基づいて洗浄水を吐水して上記ボウル面を洗浄する吐水部と、
を備えた便器洗浄装置と、を有し、」を、
　「
上記ボウル面、
排水口、及び収納室、
　
使
人体検知センサ、及び
吐水部を
　
上記収納室は、上記小便器本体の上方端に形成されると共に上記便器洗浄装置を収納するように構成され、
（２）訂正事項２
　明細書の段落【０００６】の記載である
　「ボウル面と、このボウル面の底部に形成され洗浄水を下流側の排水流路へ排出する排水口と、その上方端に形成された収納室と、を備えた小便器本体と、この小便器本体の収納室に収納され、使用者を検知する人体検知センサと、人体検知センサからの検知信号に基づいて洗浄水を吐水してボウル面を洗浄する吐水部と、を備えた便器洗浄装置と、を有し、」を、
　「ボウル面
、
、及び
、
使
、及びこの
を
収納室は、小便器本体の上方端に形成されると共に便器洗浄装置を収納するように構成され、
（３）訂正事項３
　特許請求の範囲の請求項１に係る発明の記載である
　「上記小便器本体のボウル面は、上記収納室の前面の下端から下方に延びており、
　上記吐水部が設けられる上記収納室の前面は、上記ボウル面と連続し且つ後方に向かって傾斜して形成され、上記吐水部は傾斜して形成された上記収納室の前面に向けて洗浄水を吐水するように構成され、」を、
　「
上記収納室の前面は、上記小便器本体の上端から下方へ後方に向かって傾斜して形成され、上記収納室の前面には、上記吐水部が設けられ、
上記ボウル面
連続して下方に
　
上
（４）訂正事項４
　明細書の段落【０００６】の記載である
　「小便器本体のボウル面は、収納室の前面の下端から下方に延びており、吐水部が設けられる小便器本体の収納室の前面は、ボウル面と連続し且つ後方に向かって傾斜して形成され、吐水部は傾斜して形成された収納室の前面に向けて洗浄水を吐水するように構成され、」を、
　「
収納室の前面は、小便器本体の上端から下方へ後方に向かって傾斜して形成され、収納室の前面には、吐水部が設けられ、
連続して
２　一群の請求項
　本件訂正前の請求項２〜４は、本件訂正前の請求項１を直接又は間接的に引用しているところ、本件訂正前の請求項１及び同請求項１を直接又は間接的に引用する請求項２〜４は、特許法第１２０条の５第４項に規定する一群の請求項であり、訂正事項１の訂正は、当該一群の請求項〔１〜４〕に対し請求されたものである。
３　訂正の目的の適否、新規事項の有無及び特許請求の範囲の拡張・変更の存否
（１）訂正事項１及び３について
　訂正前の請求項１に記載された「収納室」について、訂正後の請求項１において、訂正事項１に係る訂正のうち、「上記収納室は、上記小便器本体の上方端に形成されると共に上記便器洗浄装置を収納するように構成され、」とした特定を追加した訂正と、訂正事項３に係る訂正のうち、「上記収納室の前面は、上記小便器本体の上端から下方へ後方に向かって傾斜して形成され、上記収納室の前面には、上記吐水部が設けられ、」とした特定を追加した訂正は、それぞれ、収納室の位置、収納室の収納物、収納室の前面の形状、収納室の前面と吐水部の位置関係等を限定したものであるから、特許法第１２０条の５第２項ただし書第１号に掲げられた事項である特許請求の範囲の減縮を目的とするものである。
　また、訂正事項３に係る訂正のうち、ボウル面の収納室の前面の下端からの延びについて、訂正前の「下方に」を、訂正後に「連続して下方に」と追加して特定した訂正についても、特許法第１２０条の５第２項ただし書第１号に掲げられた事項である特許請求の範囲の減縮を目的とするものである。
　訂正事項１に係る訂正のうち、訂正前の請求項１に記載された「便器洗浄装置」について「この小便器本体の収納室に収納され、」とされた特定を削除した訂正と、訂正事項３に係る訂正のうち、訂正前の請求項１から「上記吐水部が設けられる上記収納室の前面は、上記ボウル面と連続し且つ後方に向かって傾斜して形成され、」を削除した訂正については、いずれも、訂正事項１及び３の訂正により追加された上記の内容と重複する記載を削除することにより、請求項１の記載を明確にするものであるから、これらの訂正は、特許法第１２０条の５第２項ただし書第３号に掲げられた事項である明瞭でない記載の釈明を目的とするものである。
　訂正事項１に係る訂正のうち、「ボウル面と、」、「排水口と、」、「収納室と、」、「人体検知センサと、」、「吐水部と、を」を、それぞれ、「上記ボウル面、」、「排水口、及び」、「収納室、」、「人体検知センサ、及び」、「吐水部を」とした訂正については、訂正前の請求項１において特定された小便器の各部位の並列関係を明確にしたものであり、また、訂正事項３に係る訂正のうち、「ボウル面」を、「上記ボウル面」とした訂正については、前に記載された部位と同一部位であることを明確にするためのものであるから、いずれも、特許法第１２０条の５第２項ただし書第３号に掲げられた事項である明瞭でない記載の釈明を目的とするものである。
　そして、訂正前の請求項１に記載された「収納室」について、「上記収納室は、上記小便器本体の上方端に形成されると共に上記便器洗浄装置を収納するように構成され、」と特定し、「上記収納室の前面は、上記小便器本体の上端から下方へ後方に向かって傾斜して形成され、上記収納室の前面には、上記吐水部が設けられ、」と特定することについては、願書に添付した明細書の段落【００１６】の「小便器１の小便器本体２は、上方端に上述した自動便器洗浄ユニット４を収納するための収納室６と、この収納室６の前面７から下方に延びるボウル面８と、このボウル面８の底部に形成された排出口１０とを備えている。」とされた記載、同じく段落【００１８】の「次に、図５乃至図８により、自動便器洗浄ユニット４について説明する。図５は本発明の実施形態による小便器の自動便器清浄ユニット（便器清浄装置）を示す斜視図であり、図６は図５の自動便器清浄ユニットの側面図であり、」とされた記載、同じく段落【００１９】の「自動便器洗浄ユニット４は、上流側から洗浄水を供給する給水管１４と、この給水管１４の先端に取り付けられた吐水部であるスプレッダ１６と、使用者の有無を検知する人体検知センサ１８と、給水管１４に取り付けられ給水の供給及び停止を行う電磁弁２０と、人体検知センサ１８からの検知信号に基づいて電磁弁２０のオン・オフを制御する制御ユニット２２と、を備えている。」とされた記載、同じく段落【００２６】の「先ず、本実施形態による小便器１は、自動便器洗浄ユニット４が小便器本体２の上方端に形成された収納室６内に収納されたタイプの小便器である。」とされた記載、訂正前の請求項１の「上記小便器本体のボウル面は、上記収納室の前面の下端から下方に延びており、上記吐水部が設けられる上記収納室の前面は、上記ボウル面と連続し且つ後方に向かって傾斜して形成され、上記吐水部は傾斜して形成された上記収納室の前面に向けて洗浄水を吐水するように構成され、」とされた記載、願書に添付された図面の【図１】及び【図３】から、収納室の前面が小便器本体２の上端から下方へ後方に向かって傾斜して形成された点が看取されること等に基づくものであるから、新規事項を追加するものではなく、また、実質的に特許請求の範囲を拡張し、又は変更するものでもない。
（２）訂正事項２及び４について
　訂正事項２及び４に係る訂正は、訂正前の段落【０００６】の記載を、訂正事項１及び３によって訂正される特許請求の範囲の請求項１の記載に整合させたものであるから、特許法第１２０条の５第２項ただし書第３号に掲げられた事項である明瞭でない記載の釈明を目的とするものである。
　そして、当該訂正は、新規事項を追加するものではなく、実質的に特許請求の範囲を拡張し又は変更するものでもない。
４　小括
　以上のとおりであるから、訂正事項１〜４に係る訂正は、特許法第１２０条の５第２項ただし書第１号又は第３号に掲げる事項を目的とするものであり、かつ、同条第９項で準用する同法第１２６条第５項及び第６項の規定に適合する。
５　まとめ
　したがって、明細書、特許請求の範囲を、訂正請求書に添付された訂正明細書、特許請求の範囲のとおり、訂正後の請求項〔１〜４〕について訂正することを認める。
第３　訂正後の本件発明
　本件訂正は認められるから、本件特許の請求項１〜４に係る発明（以下「本件発明１」等といい、まとめて「本件発明」という。）は、訂正特許請求の範囲の請求項１ないし４に記載された次の事項により特定されるとおりのものである。
１　本件発明１
「【請求項１】
　洗浄水によりボウル面を洗浄する小便器であって、
　上記ボウル面、このボウル面の底部に形成され洗浄水を下流側の排水流路へ排出する排水口、及び収納室、を備えた小便器本体と、
　使用者を検知する人体検知センサ、及びこの人体検知センサからの検知信号に基づいて洗浄水を吐水して上記ボウル面を洗浄する吐水部を備えた便器洗浄装置と、を有し、
　上記収納室は、上記小便器本体の上方端に形成されると共に上記便器洗浄装置を収納するように構成され、
　上記収納室の前面は、上記小便器本体の上端から下方へ後方に向かって傾斜して形成され、上記収納室の前面には、上記吐水部が設けられ、上記小便器本体の上記ボウル面は、上記収納室の前面の下端から連続して下方に延びており、
　上記吐水部は傾斜して形成された上記収納室の前面に向けて洗浄水を吐水するように構成され、
　上記小便器本体の収納室の前面と上記ボウル面は、一体構造であり、且つ、上記ボウル面が、上方から下方へ後方に向かって傾斜して円弧形状に形成され、小便がボウル面に当たった後に下方に落下するように構成されている小便器。」
２　本件発明２
「【請求項２】
　上記小便器本体の収納室の前面は、上記排水口の中心よりも後方に位置している請求項１に記載の小便器。」
３　本件発明３
「【請求項３】
　上記小便器本体の収納室の前面は、平面視で、その中央部が両端部よりも後方に位置するように構成されている請求項１又は２に記載の小便器。」
４　本件発明４
「【請求項４】
　上記人体検知センサは、上記吐水部と一体構造である請求項１乃至３の何れか１項に記載の小便器。」
第４　取消理由通知に記載した取消理由について
１　取消理由の概要
　訂正前の請求項１〜４に係る特許に対して、当審が令和１年８月１日付けで特許権者に通知した取消理由の要旨は、次のとおりである。
（１）拡大先願
　本件特許の請求項１ないし３に係る発明は、本件特許出願の日前の特許出願又は実用新案登録出願であって、本件特許出願後に特許掲載公報の発行若しくは出願公開又は実用新案掲載公報の発行がされた下記の甲第１号証の特許出願の願書に最初に添付した明細書、特許請求の範囲又は図面に記載された発明又は考案と同一であり、しかも、本件特許出願の発明者が本件特許出願前の特許出願に係る上記の発明をした者と同一ではなく、また本件特許出願の時において、その出願人が上記特許出願の出願人と同一でもないから、請求項１ないし３に係る特許は、特許法第２９条の２の規定に違反してされたものである。
・甲第１号証：特開２０１４−７０３７６号公報（特願２０１２−２１５７１１号の公開公報）
（２）進歩性
　本件特許の請求項１ないし４に係る発明は、本件特許出願前に日本国内又は外国において、頒布された下記の引用文献１、引用文献２及び引用文献３、若しくは引用文献４、引用文献２及び引用文献３に記載された発明又は電気通信回線を通じて公衆に利用可能となった発明に基いて、本件特許出願前にその発明の属する技術の分野における通常の知識を有する者が容易に発明をすることができたものであるから、請求項１ないし４に係る特許は、特許法第２９条第２項の規定に違反してされたものである。
・引用文献１：意匠登録第１０２０１５４号公報（甲第４号証）
・引用文献２：特開平７−２０７７４１号公報（平成３０年３月１２日付けの拒絶理由通知書における引用文献１）
・引用文献３：特開平９−１６５８０９号公報（甲第２号証）
・引用文献４：中国特許出願公開第１０２５３５６０２号公報（甲第５号証）
第５　証拠
・甲第１号証：特開２０１４−７０３７６号公報（特願２０１２−２１５７１１号の公開公報）
・引用文献１：意匠登録第１０２０１５４号公報（甲第４号証）
・引用文献２：特開平７−２０７７４１号公報（平成３０年３月１２日付けの拒絶理由通知書における引用文献１）
・引用文献３：特開平９−１６５８０９号公報（甲第２号証）
・引用文献４：中国特許出願公開第１０２５３５６０２号公報（甲第５号証）
１　甲第１号証について
（１）甲第１号証の記載（下線は決定で付した。以下同様。）
ア　「【０００６】
　上記目的を達成するための手段を図面の参照符号を付して示せば、請求項１の発明に係る男性用水洗トイレは、
便器面２の正面側が、その上端から下部にわたって下方ほど内奥側に位置する前傾部２１を構成し、この前傾部２１の下端から凹湾曲部２２を経て排水口３への下り勾配部２３へ移行すると共に、該便器面２の正面側の上部に、前傾部２１の傾斜に沿って斜め下向きに洗浄水Ｗを吐出する洗浄ノズル４を備える
イ　「【００１０】
　次に、本発明の効果について図面の参照符号を付して説明する。まず、請求項１の発明に係る
男性用水洗トイレにおいては、洗浄ノズル４より吐出された洗浄水Ｗは、便器面２の
前傾部２１に沿って流下し、凹湾曲部２２及び下り勾配部２３を経て下端の排水口３へ流入する。
該前傾部２１に当たった小水Ｕの反射方向が垂直面に対する反射方向よりも下向きになる
ウ　「【００１６】
　図１及び図２に示すように、この
男性用水洗トイレは、便器本体１の前面側に構成される凹形の便器面２の底部に
排水口３、同上部に洗浄ノズル４を備え
便器本体１の頂部前壁１ａには利用者の存在を検知するための
人体検知手段５が設けられている。
排水口３の直下には、
下水道に繋がる
排水管８が接続されて
エ　「【００１７】
　
便器面２の正面側は、図１に示すように、その上端から下部にわたって下方ほど内奥側に位置する前傾部２１を構成し、
オ　「【００１８】
　
洗浄ノズル４は、
吐出孔４１が形成されており、
カ　「【００２２】
　更に、このような男性用水洗トイレでは、便器面２の正面側が前傾部２１をなすことで、便器本体１の上部の内部空間１０が大きくなるから、この内部空間１０を利用してポンプやタンク等の様々な機器類や付属物品等を配置できる。特に実施形態のように、便器面２の前傾部２１の上端が便器本体１の頂部前壁１ａの下端に連続した構造では、便器本体１の上部の内部空間１０がより大きくなり、それだけ該内部空間１０における機器類や付属物品等の配置構成の自由度が高まると共にサイズの制約も少なくなる。とりわけ、循環式の男性用水洗トイレの場合、洗浄水循環機構Ｓを構成する大きくの機器類を便器本体内に配置する必要があるが、図１及び図２に示すように、
上部の広い内部空間１０に、循環ポンプＰ１、吐出ポンプＰ２、サブタンクＴ２、薬液タンクＴ３、制御装置Ｃ等を収容
キ　「【００２５】
　この洗浄水循環機構Ｓが例えば２段洗浄方式に設定されている場合、待機状態では排水口３からの排水流路が排水管８側に繋がっており、
利用者が便器面２の前に立ったことを人体検知手段５にて検出すると、
初期洗浄として洗浄ノズル４から少量
の洗浄水Ｗが吐出され、
次いで、利用者が離れてから一定時間後
、
本洗浄として洗浄ノズル４から比較的多量
の洗浄水Ｗが流され、
ク　図１
ケ　図２
コ　図３
サ　上記ウ及び上記カの記載を踏まえると、［図１］及び［図２］からは、
人体検知手段５が、循環ポンプＰ１、吐出ポンプＰ２、サブタンクＴ２、薬液タンクＴ３、制御装置Ｃ等を収容した上記上部の広い内部空間１０に収容され
人体検知手段５、循環ポンプＰ１、吐出ポンプＰ２、サブタンクＴ２、薬液タンクＴ３、制御装置Ｃ等を収容した上記上部の広い内部空間１０の前面が、下方へ前方に向かって傾斜する部分を有する頂部前壁１ａと、上記頂部前壁１ａの下端から連続して下方に延びる凹形の便器面２の上方の一部であって下方へ後方に向かって傾斜する傾斜面と、により形成され
上記頂部前壁１ａと上記凹形の便器面２が一体構造
上記凹形の便器面２が、前傾して円弧形状に形成され
シ　上記ウ及び上記オの記載を踏まえると、［図１］及び［図３］からは、
洗浄ノズル４の吐出孔４１が上部の広い内部空間１０の前面に設けられた点、上記洗浄ノズル４の吐出孔４１からの洗浄水が、傾斜して形成された上記上部の広い内部空間１０の前面に向けて吐出される点
ス　なお、上記エに摘記した段落【００１７】には、「便器面２の正面側は、図１に示すように、その上端から下部にわたって下方ほど内奥側に位置する前傾部２１を構成し、」と記載されており、この記載は、「便器面２の正面側は、図１に示すように、便器面２の正面側の上端から下部にわたって下方ほど内奥側に位置する前傾部２１を構成し、」とも解しうるが、図１からは、「便器面２の正面側の上端から下部にわたって下方ほど内奥側に位置する前傾部２１」を看て取ることができないことから、この記載は、「便器面２の正面側は、図１に示すように、前傾部２１の上端から下部にわたって下方ほど内奥側に位置する前傾部２１を構成し、」を意味するものと認められる。
（２）甲第１号証に係る特許出願の明細書等に記載された発明
　上記（１）ア〜スを総合すると、甲第１号証に係る特願２０１２−２１５７１１号の願書に最初に添付した明細書、特許請求の範囲又は図面には以下の発明（以下「甲１発明」という。）が記載されていると認められる。
「洗浄水を、便器面の前傾部に沿って流下させ凹湾曲部及び下り勾配部を経て下端の排水口へ流入させる男性用水洗トイレであって、
　便器本体の前面側に上記凹形の便器面を構成し、上記凹形の便器面の底部には、下水道に繋がる排水管が接続された排水口を設け、上記便器本体には、循環ポンプ、吐出ポンプ、サブタンク、薬液タンク、制御装置等を収容した上部の広い内部空間を備え、
　便器本体の上記上部の広い内部空間に収容され、利用者の存在を検知するための人体検知手段と、利用者が上記便器面の前に立ったことを上記人体検知手段が検出すると、初期洗浄として少量の洗浄水を吐出し、次いで、利用者が離れてから一定時間後、本洗浄として比較的多量の洗浄水が流れるようにした洗浄ノズルの吐出孔と、を設け、
　上記洗浄ノズルの吐出孔が設けられる上記上部の広い内部空間の前面は、下方へ前方に向かって傾斜する部分を有する頂部前壁と、上記頂部前壁の下端から連続して下方に延びる凹形の便器面の上方の一部であって下方へ後方に向かって傾斜する傾斜面と、により形成され、上記洗浄ノズルの吐出孔からの洗浄水が、傾斜して形成された上記上部の広い内部空間の前面に向けて吐出され、
　上記頂部前壁と上記凹形の便器面が、一体構造であり、上記凹形の便器面が、前傾して円弧形状に形成され、上記凹形の便器面の正面側が、その上端から下部にわたって下方ほど内奥側に位置する前傾部を構成し、上記前傾部に当たった小水の反射方向が垂直面に対する反射方向よりも下向きになる、
男性用水洗トイレ。」
２　引用文献１（甲第４号証）について
（１）引用文献１の記載
ア　Ａ−Ａ断面図
イ　Ｂ−Ｂ断面図
ウ　正面図
エ　使用状態を示す参考図
オ　上記アの「Ａ−Ａ断面図」からは、
引用文献１に記載された「取付用小便器」が、ボウル面と、上記ボウル面の底部に形成された上下方向の開口と、上記ボウル面の背面側（当審注：Ａ−Ａ断面図における右側）に形成された空間と、を備えた小便器本体からなり、上記空間は、小便器本体の上方端に区画された小空間と、上記小空間の下方且つボウル面の上方に形成された略水平方向の開口の近傍に位置する上方空間とを含み、上記ボウル面は、上記小空間及び上記上方空間の前面の下端から連続して下方に延びており、上記小空間及び上記上方空間の前面は、小便器本体の上端から下方へ前方に向かって傾斜した後、上記ボウル面と連続し且つ下方へ後方に向かって傾斜して形成され、上記小空間及び上記上方空間の前面と上記ボウル面は、一体構造であり、且つ、上記ボウル面が、上方から下方へ後方に向かって傾斜して円弧形状に形成され、上記小空間及び上記上方空間の前面が、上記上下方向の開口の中心よりも後方に位置したものである
カ　取付用小便器の上から１／３程度の高さ位置における上記イの「Ｂ−Ｂ断面図」における断面形状を踏まえて上記アの「Ａ−Ａ断面図」を看ると、
引用文献１に記載された「取付用小便器」における上記小空間及び上記上方空間の前面は、平面視で、その中央部が両端部よりも後方に位置した点を備えている
（２）引用文献１に記載された発明
　上記（１）ア〜カを総合すると、引用文献１には以下の発明（以下「引用発明１」という。他の引用文献についても同じ。）が記載されていると認められる。
「ボウル面と、このボウル面の底部に形成された上下方向の開口と、上記ボウル面の背面側に形成された空間と、を備えた小便器本体を有し、上記空間は、小便器本体の上方端に区画された小空間と、上記小空間の下方且つボウル面の上方に形成された略水平方向の開口の近傍に位置する上方空間とを含み、上記ボウル面は、上記小空間及び上記上方空間の前面の下端から下方に延びており、上記小空間及び上記上方空間の前面は、小便器本体の上端から下方へ前方に向かって傾斜した後、上記ボウル面と連続し且つ下方へ後方に向かって傾斜して形成され、上記小空間及び上記上方空間の前面と上記ボウル面は、一体構造であり、且つ、上記ボウル面が、上方から下方へ後方に向かって傾斜して円弧形状に形成され、上記小空間及び上記上方空間の前面が、上記上下方向の開口の中心よりも後方に位置しており、上記小空間及び上記上方空間の前面は、平面視で、その中央部が両端部よりも後方に位置するように構成された取付用小便器。」
３　引用文献２について
（１）引用文献２の記載
ア　「【０００８】【実施例】図１、図２に示すように
小便器本体１には前面を開口せる便器ボウル２を設けてあり、便器ボウル２の背面６の上部に洗浄水を吐出する洗浄ノズル３を横に長くなるように設けてある。
イ　「【０００９】図３は他の実地例を示す。本実施例の場合、給水管路９の主給水パイプ９ａに電磁弁のような第１開閉弁１１ａを設けてあると共に給水管路９の副給水パイプ９ｂに電磁弁のような第２開閉弁１１ｂを設けてある。
洗浄ノズル３の上方には人体を検知するセンサー１２を設けてあり、このセンサー１２の検知に基づいて制御ボックス１３の制御回路にて第１開閉弁１１ａや第２開閉弁１１ｂが制御されるようになっている。センサー１２が用便を終えて人が立ち去ったのを検知したとき、第１開閉弁１１ａが開かれて洗浄ノズル３から洗浄水を吐出して本洗浄され、
ウ　図３
エ　上記アないしイの記載を踏まえると、上記ウの［図３］からは、
小便器本体１の「上方端に形成された上部の広い内部空間」に、センサー１２を収納している
（２）引用文献２に記載された発明
　上記（１）ア〜エを総合すると、引用文献２には、以下の引用発明２が記載されていると認められる。
「小便器本体の上方端に形成された上部の広い内部空間に人体を検知するセンサーを収納し、上記センサーの検知に基づいて洗浄ノズルから洗浄水を吐出して洗浄する小便器本体。」
４　引用文献３（甲第２号証）について
（１）引用文献３の記載
ア　「【０００２】【従来の技術及びその課題】従来、図７に正面図で、また図８に側面断面図で示すように、
小便器１の背壁面１ａの上部部位にはスプレッダー４が取り付けられ
、このスプレッダー４は小便器１の上面に接続された給水管２にホース３を介し接続されており、給水管２から供給される洗浄水がスプレッダー４から背壁面１ａに射水されて背壁面１ａを洗浄するように構成されている。
射水が背壁面１ａから剥がれやすく、飛沫が発生しやすいという問題点があった。
イ　「【０００４】【実施例】以下、本発明の実施例を図面に基づいて説明する。図１は、第１実施例のスプレッダーの断面拡大構成図であり、本例のスプレッダー４は、小便器１の背壁面１ａ内に挿着される挿着管部４ａと、この挿着管部４ａの先端から拡径し背壁面１ａの前面に当接状となる当接部４ｂと、前面を覆蓋する覆蓋部４ｃを有しており、
覆蓋部４ｃの下端側には射水口５が形成されているが、覆蓋部４ｃの下端部側内面には傾斜した傾斜面６が形成されており、また、この傾斜面６と平行に前記当接部４ｂの内面にも傾斜面７が形成されており、この平行な傾斜面６と７により傾斜した傾斜流路Ｒ２が形成されている。
ウ　「【０００５】従って、前記給水管２に接続されたホース３側から洗浄水路Ｒ１を流れてくる洗浄水は前記覆蓋部４ｃに当接し、
傾斜面６，７に沿って傾斜流路Ｒ２を流れ、射水口５から背壁面１ａに向かって射水されるものであり、この時に傾斜面６，７は背壁面１ａに対し角度が設定されているため、射水口５からの射水は背壁面１ａから剥がれることなく背壁面１ａに沿って確実に流下されるものであり、
エ　図８
オ　上記アの記載を踏まえると、上記エの［図８］からは、
小便器１が、背壁面１ａと、上記背壁面１ａに連続した底部とを備え、底部に孔を設け
スプレッダー４の上流側端部が、小便器１の上方端に形成された上部の広い内部空間に収納され
背壁面１ａの上方の一部であって、小便器１の上方端に形成された上部の広い内部空間の前面が、小便器１の上端から下方へ後方に向かって傾斜して形成され
（２）引用文献３に記載された発明
　上記（１）ア〜オを総合すると、引用文献３には、以下の引用発明３が記載されていると認められる。
「小便器１が、背壁面１ａと、背壁面１ａに連続した底部とを備え、底部に孔を設け、背壁面１ａの上部部位にはスプレッダー４が取り付けられ、スプレッダー４の上流側端部は、小便器１の上方端に形成された上部の広い内部空間に収納されており、スプレッダー４は小便器１の上面に接続された給水管２にホース３を介し接続されており、給水管２から供給される洗浄水がスプレッダー４から背壁面１ａに射水されて背壁面１ａを洗浄するように構成され、スプレッダー４の覆蓋部４ｃの下端側には射水口５が形成されているが、覆蓋部４ｃの下端部側内面には傾斜した傾斜面６が形成されており、また、この傾斜面６と平行に前記当接部４ｂの内面にも傾斜面７が形成されており、この平行な傾斜面６と７により傾斜した傾斜流路Ｒ２が形成され、傾斜面６，７に沿って傾斜流路Ｒ２を流れ、射水口５から背壁面１ａに向かって射水されるものであり、この時に傾斜面６，７は背壁面１ａに対し角度が設定されているため、射水口５からの射水は背壁面１ａから剥がれることなく背壁面１ａに沿って確実に流下されるものであり、背壁面１ａの上方の一部であって、小便器１の上方端に形成された上部の広い内部空間の前面が、小便器１の上端から下方へ後方に向かって傾斜して形成された小便器１」
５　引用文献４（甲第５号証）について
（１）引用文献４の記載
ア
（仮訳（申立人が作成した仮訳を参考に当審で作成した仮訳である。以下同様。）：
本発明の弁構造１００を小便器２００に取り付ける際には、図１に示すような態様が例として提示される。
液体媒体、好ましくは洗浄水を放出するために、便器２１０の上端に洗浄装置１６０が設けられている。便器２１０の下部領域には１つの排水口２１１が配置されており、好ましくは１つのフィルタを用いて排水口が覆われ、フィルタの縁は便器と一緒に連接固定されている。便器の排水口２１１に排水管２２１、２２２が接続され、弁構造１００はその中に設けられている。
イ
（仮訳：
小便器が使用される時、フラッドセンサー１７０は、排出されるべき媒体が逆流防止弁１２０に一杯になったことを検出すると１個の信号を生成し、その信号を、制御ライン３７０を介して制御装置１３０に伝達する。制御装置１３０はその後、弁３０２を通って、直通防止弁１１０を開放し、排水された媒体を流出させる。弁３０３が接続されると、水管５６０が開き、洗浄装置１６０が洗浄水を放出する。
ウ　図１
エ　上記アないしイの記載を踏まえると、上記ウの［図１］からは、
小便器２００が、便器２１０のボウル面と、上記便器２１０の背面側（当審注：図１の左側）に形成された空間と、を有し、上記空間の上方端に形成された所定の空間に洗浄装置１６０を収納するとともに、上記便器２１０の上記ボウル面は、上記上方端に形成された所定の空間の前面の下端から下方に延びており、上記上方端に形成された所定の空間の前面は、下方へ前方に向かって傾斜した後、上記便器２１０のボウル面と連続し且つ後方に向かって傾斜して形成され、上記上方端に形成された所定の空間の前面と上記便器２１０のボウル面は、一体構造であり、且つ、上記便器２１０のボウル面が、上方から下方へ後方に向かって傾斜して円弧形状に形成され、上記上方端に形成された所定の空間の前面が、排水口２１１の中心よりも後方に位置しており、上記上方端に形成された所定の空間の前面は、平面視で、その中央部が両端部よりも後方に位置するように構成されている
（２）引用文献４に記載された発明
　上記（１）ア〜エを総合すると、引用文献４には以下の引用発明４が記載されていると認められる。
「ボウル面と、下部領域に配置されて、排水管が接続された排水口と、背面側に形成された空間の上方端に形成された所定の空間と、を備えた便器と、その中に設けられた弁構造は、小便器が使用されたことをフラッドセンサーが検出して信号を伝達すると、便器の上記上方端に形成された所定の空間に収納された洗浄装置が洗浄水を放出するように構成され、上記ボウル面は、上記上方端に形成された所定の空間の前面の下端から下方に延びており、上記上方端に形成された所定の空間の前面は、下方へ前方に向かって傾斜した後、上記ボウル面と連続し且つ後方に向かって傾斜して形成され、上記上方端に形成された所定の空間の前面と上記ボウル面は、一体構造であり、且つ、上記ボウル面が、上方から下方へ後方に向かって傾斜して円弧形状に形成されており、上記上方端に形成された所定の空間の前面が、上記排水口の中心よりも後方に位置しており、上記上方端に形成された所定の空間の前面は、平面視で、その中央部が両端部よりも後方に位置するように構成されている、小便器。」
第６　当審の判断
１　取消理由通知に記載した取消理由のうち、特許法第２９条の２（拡大先願）について
・甲第１号証：特開２０１４−７０３７６号公報（特願２０１２−２１５７１１号の公開公報）
（１）本件発明１について
ア　対比
　本件発明１と甲１発明（上記第５の１（２））とを対比する。
（ア）甲１発明における「男性用水洗トイレ」、「便器本体」、「下水道に繋がる排水管」、「利用者の存在を検知するための人体検知手段」、「吐出」は、それぞれ、本件発明１における「小便器」、「小便器本体」、「下流側の排水流路」、「使用者を検知する人体検知センサ」、「吐水」に相当する。
（イ）甲１発明における「洗浄ノズルの吐出孔」と「吐出ポンプ」を合わせたものは、本件発明１の「吐水部」に相当する。
（ウ）甲１発明における「凹型の便器面」は、その「上方の一部」が上部の広い内部空間の前面を形成するものであるところ、当該「上方の一部」を除いた「凹型の便器面」は、本件発明１における「ボウル面」に相当する。
（エ）甲１発明は、洗浄水を、「便器面」（ボウル面）の「前傾部に沿って流下させ凹湾曲部及び下り勾配部を経て下端の排水口へ流入させる」ものであるから、洗浄水により、便器面（ボウル面）を「洗浄する」ことになるのは自明である。
（オ）甲１発明の「排水口」は、「下水道に繋がる排水管」（下流側の排水流路）が接続されたものであり、上記「排水口」から洗浄水を上記排水管に「排出」していることは自明である。
（カ）甲１発明は、利用者が便器面（ボウル面）の前に立ったことを人体検知手段（人体検知センサ）が検出すると、初期洗浄として少量の洗浄水を吐出し、次いで、利用者が離れてから一定時間後、本洗浄として比較的多量の洗浄水が流れるようにしたものであり、上記「初期洗浄」や上記「本洗浄」が、人体検知手段（人体検知センサ）からの「検知信号に基づい」て行われることは当業者にとって技術常識であるから、甲１発明は、本件発明１と同様に、「人体検知センサからの検知信号に基づいて洗浄水を吐水してボウル面を洗浄する」ものであり、また、甲１発明の「人体検知手段」（人体検知センサ）と「吐出ポンプ」（吐水部）とを備えたものは、本件発明１の「便器洗浄装置」に相当する。
（キ）甲１発明の「循環ポンプ、吐出ポンプ、サブタンク、薬液タンク、制御装置等を収容した上部の広い内部空間」は、その下部にあたる空間との間に明確な仕切りを設けてはいないものの、「上部の広い内部空間」として、他と区別して認識される空間であるのだから、本件発明１の、「小便器本体の上方端」において「収納室」として「形成され」たものに相当し、「吐出ポンプ」（吐水部）を「収容」しているのであるから、「便器洗浄装置」を「収納」するものであるといえる。
（ク）甲１発明において、「洗浄ノズルの吐出孔」（吐水部）が設けられる「上部の広い内部空間」（収納室）の「前面」は、「頂部前壁と、上記頂部前壁の下端から連続して下方に延びる凹形の便器面の上方の一部であって下方へ後方に向かって傾斜する傾斜面と、により形成され」たものであるから、本件発明１とは、「収納室の前面」が、「下方へ後方に向かって傾斜して形成され」た部分を有し、当該「収納室の前面」に「吐水部が設けられ」た点で共通する。
（ケ）甲１発明において、「上部の広い内部空間」（収納室）の「前面」は、「頂部前壁と、上記頂部前壁の下端から連続して下方に延びる凹形の便器面の上方の一部であって下方へ後方に向かって傾斜する傾斜面と、により形成され」たものであり、その「下端」、すなわち「上記頂部前壁の下端から連続して下方に延びる凹形の便器面の上方の一部であって下方へ後方に向かって傾斜する傾斜面」の「下端」と、甲１発明の「凹型の便器面」における「上方の一部」を除いた部分（ボウル面）とが、凹型の便器面として「連続して」延びていることは明らかである。また、甲１発明において、「上記頂部前壁と上記凹形の便器面が、一体構造」であるのだから、「頂部前壁」と「凹形の便器面の上方の一部」である「傾斜面」とにより形成された「上部の広い内部空間」（収納室）の「前面」が、甲１発明の「凹型の便器面」における「上方の一部」を除いた部分（ボウル面）と「一体構造」であることも明らかである。したがって、甲１発明は、本件発明１と同様に、「ボウル面は、収納室の前面の下端から連続して下方に延び」、「小便器本体の収納室の前面とボウル面は、一体構造」である構成を備えたものであるといえる。
（コ）甲１発明において、「上記洗浄ノズルの吐出孔」（吐水部）からの「洗浄水」が、「傾斜して形成され」た「上部の広い内部空間」（収納室）の「前面に向け」て「吐出」（吐水）されることは、本件発明１における「吐水部は傾斜して形成された収納室の前面に向けて洗浄水を吐水する」ことに相当する。
（サ）甲１発明において、「凹形の便器面」（ボウル面）が、「前傾して円弧形状に形成され」、「正面側が、その上端から下部にわたって下方ほど内奥側に位置する前傾部を構成」されていることは、本件発明１における「ボウル面が、上方から下方へ後方に向かって傾斜して円弧形状に形成され」ることに相当する。
（シ）甲１発明は、凹型の便器面（ボウル面）の正面側の前傾部に当たった小水の反射方向が垂直面に対する反射方向よりも下向きになるものであるから、本件発明１と同様に、「小便がボウル面に当たった後に下方に落下するように構成され」た点を備えていることが明らかである。
（ス）そうすると、本件発明１と甲１発明とは、次の一致点で一致し、相違点１で相違する。
（一致点）
「洗浄水によりボウル面を洗浄する小便器であって、
　上記ボウル面、このボウル面の底部に形成され洗浄水を下流側の排水流路へ排出する排水口、及び収納室、を備えた小便器本体と、
　使用者を検知する人体検知センサ、及びこの人体検知センサからの検知信号に基づいて洗浄水を吐水して上記ボウル面を洗浄する吐水部を備えた便器洗浄装置と、を有し、
　上記収納室は、上記小便器本体の上方端に形成されると共に上記便器洗浄装置を収納するように構成され、
　上記収納室の前面に、下方へ後方に向かって傾斜して形成された部分を有し、上記収納室の前面には、上記吐水部が設けられ、上記小便器本体の上記ボウル面は、上記収納室の前面の下端から連続して下方に延びており、
　上記吐水部は傾斜して形成された上記収納室の前面に向けて洗浄水を吐水するように構成され、
　上記小便器本体の収納室の前面と上記ボウル面は、一体構造であり、且つ、上記ボウル面が、上方から下方へ後方に向かって傾斜して円弧形状に形成され、小便がボウル面に当たった後に下方に落下するように構成されている小便器。」
（相違点１）
　収納室の前面に「下方へ後方に向かって傾斜して形成された部分」を有した点について、本件発明１では、上記の「部分」が、「小便器本体の上端」から形成されたものであるのに対し、甲１発明では、上記の「部分」が、「下方へ前方に向かって傾斜する部分を有する頂部前壁」の「下端から連続して下方に延びる」ものである点。
イ　相違点についての判断
　甲１発明は、「上記上部の広い内部空間の前面は、下方へ前方に向かって傾斜する部分を有する頂部前壁と、上記頂部前壁の下端から連続して下方に延びる凹形の便器面の上方の一部であって下方へ後方に向かって傾斜する傾斜面と、により形成され」たものであって、甲第１号証には、「収納室の前面」の、「下方へ後方に向かっ傾斜して形成された部分」が、「小便器本体の上端」から形成された点が開示されていない。
　そして、本件発明は、「従来の小便器においては、ボウル面の上方に自動洗浄ユニットが配置され、且つ、センサがボックスの前面に設けられた窓部に臨んで配置されているので、使用者がボウル面に近づき難く、その結果、使用者は、ボウル面から離れた位置に立ち、用を足すことになるので、小便（尿）がフロアに垂れて汚れ易く、また、不衛生となり、清掃に手間がかかる」（段落【０００４】）という問題を認識し、相違点１に係る構成を備えることによって、「小便器本体の上方端に形成された収納室に便器洗浄装置が収納された小便器であっても、小便器本体の収納室の前面がボウル面と連続し且つ後方に向かって傾斜して形成されているので、使用者は、小便器のボウル面に近づき易くなる。それにより、使用者は、ボウル面に近づいた位置で用を足すことができ、それにより、フロア等が清潔となり、清掃の手間を少なくすることができる。」（段落【０００６】）という効果が奏される。
　よって、本件発明１は甲１発明と同一ではない。
ウ　申立人の意見について
　申立人は、上記相違点１について、令和１年１２月４日提出の意見書において、「訂正事項３における『上記収納室の前面は、上記小便器本体の上端から下方へ後方に向かって傾斜して形成され』を、訂正発明１と甲１発明との相違点と認定したとしても、当該相違点に係る発明特定事項は周知慣用手段であって（甲４、甲５参照）、当該発明特定事項に何らの技術的意味も存在せず、当該相違点は単なる設計的事項であり実質的な相違点でない。令和１年１０月７日付け意見書も、単に甲１発明に記載されていないと述べるに止まる。」（意見書第１１ページ下から６行〜下から１行）と主張する。
　しかしながら、甲第４号証に記載された発明（引用発明１）は「上記小空間及び上記上方空間の前面は、小便器本体の上端から下方へ前方に向かって傾斜した後、上記ボウル面と連続し且つ下方へ後方に向かって傾斜して形成され」たものであり、甲第５号証に記載された発明（引用発明４）は「上記上方端に形成された所定の空間の前面は、下方へ前方に向かって傾斜した後、上記ボウル面と連続し且つ後方に向かって傾斜して形成され」たものであって、甲第４号証、甲第５号証のいずれにも、「上記収納室の前面は、上記小便器本体の上端から下方へ後方に向かって傾斜して形成され」た点が開示されておらず、また仮に開示されていたとしても、それらを周知慣用手段として甲１発明に採用する動機付けが見いだせないし、この点を設計的事項とする理由もない。
　そうすると、申立人の上記主張には理由がない。
（２）本件発明２〜３について
　本件発明２〜３は、本件発明１の発明特定事項をすべて含み、さらに減縮した発明であるから、本件発明１についての判断と同様の理由により、甲１発明と同一ではない。
（３）小括
　本件発明１〜３は、甲１発明と同一ではない。
２　取消理由通知に記載した取消理由のうち、特許法第２９条第２項（進歩性）について
（１）引用文献１、２、３に基づく特許法第２９条第２項（進歩性）について
・引用文献１：意匠登録第１０２０１５４号公報（甲第４号証）
・引用文献２：特開平７−２０７７４１号公報
・引用文献３：特開平９−１６５８０９号公報（甲第２号証）
ア　本件発明１について
（ア）対比
　本件発明１と引用発明１（上記第５の２（２））とを対比する。
ａ　引用発明１における「取付用小便器」は、本件発明１における「小便器」に相当する。
ｂ　引用発明１における「取付用小便器」（小便器）が、本件発明１と同様に、「ボウル面を洗浄する吐水部を備えた便器洗浄装置」を有して、「洗浄水によりボウル面を洗浄する」ものであることは、当業者にとって自明である。
ｃ　引用発明１における「ボウル面の底部に形成された上下方向の開口」が、本件発明１における「ボウル面の底部に形成され洗浄水を下流側の排水流路へ排出する排水口」に相当することは、開口の位置を考慮すると、当業者にとって自明である。
ｄ　引用発明１において、「ボウル面の背面側に形成された空間」に含まれる「小便器本体の上方端に区画された小空間と、上記小空間の下方且つボウル面の上方に形成された略水平方向の開口の近傍に位置する上方空間」と、本件発明１の「小便器本体の上方端に形成され」た「収納室」とは、「小便器本体の上方端に形成された所定の空間」である点で共通する。
ｅ　引用発明１の「ボウル面」は、「ボウル面の背面側に形成された空間に含まれた、小便器本体の上方端に区画された小空間と、上記小空間の下方且つボウル面の上方に形成された略水平方向の開口の近傍に位置する上方空間」（上方端に形成された所定の空間）の「前面の下端から連続して下方に延び」たものであり、本件発明１の「ボウル面」とは、「小便器本体の上方端に形成された所定の空間」の「前面の下端から連続して下方に延び」たものである点で共通する。
ｆ　「ボウル面」と「連続」し、「下方へ後方に向かって傾斜して形成され」るのが、引用発明１においては、「ボウル面の背面側に形成された空間に含まれた、小便器本体の上方端に区画された小空間と、上記小空間の下方且つボウル面の上方に形成された略水平方向の開口の近傍に位置する上方空間」（上方端に形成された所定の空間）の前面であるのに対し、本件発明１においては、小便器本体の上方端に形成され、使用者を検知する人体検知センサを収納した収納室の、吐水部が設けられる前面であることから、引用発明１と本件発明１とは、「小便器本体の上方端に形成された所定の空間」の「前面」が「ボウル面」と「連続」し、「下方へ後方に向かって傾斜して形成され」た点で共通する。
ｇ　引用発明１において「ボウル面」と「一体構造」で形成されるのは、ボウル面の背面側に形成された空間に含まれた、小便器本体の上方端に区画された小空間と、上記小空間の下方且つボウル面の上方に形成された略水平方向の開口の近傍に位置する上方空間との前面であるのに対し、本件発明１においては、「小便器本体の上方端に形成され」、「使用者を検知する人体検知センサ」を「収納」した「収納室」の、「吐水部が設けられ」る「前面」であることから、引用発明１と本件発明１とは、「小便器本体の上方端に形成された所定の空間の前面」と「ボウル面」とが「一体構造」である点で共通する。
ｈ　引用発明１は、「ボウル面が、上方から下方へ後方に向かって傾斜して円弧形状に形成され」たものであり、ボウル面の当該形状によれば、引用発明１においても、本願発明１と同様に、「小便がボウル面に当たった後に下方に落下する」ことは、当業者にとって自明である。
ｉ　そうすると、本件発明１と引用発明１とは、以下の一致点と相違点を有する。
（一致点）
「洗浄水によりボウル面を洗浄する小便器であって、
　上記ボウル面、このボウル面の底部に形成され洗浄水を下流側の排水流路へ排出する排水口、及び小便器本体の上方端に形成された所定の空間、を備えた小便器本体と、
　上記ボウル面を洗浄する吐水部を備えた便器洗浄装置と、を有し、
　上記小便器本体の上方端に形成された所定の空間は、上記小便器本体の上方端に形成され、
　上記小便器本体の上方端に形成された所定の空間の前面は、下方へ後方に向かって傾斜して形成され、上記小便器本体の上記ボウル面は、上記小便器本体の上方端に形成された所定の空間の前面の下端から連続して下方に延びており、
　上記小便器本体の上方端に形成された所定の空間の前面と上記ボウル面は、一体構造であり、且つ、上記ボウル面が、上方から下方へ後方に向かって傾斜して円弧形状に形成され、小便がボウル面に当たった後に下方に落下するように構成されている小便器。」
（相違点Ａ）
　本件発明１の小便器は、小便器本体の「上方端に形成された所定の空間」を「便器洗浄装置を収納」する「収納室」として利用し、当該収納室に「使用者を検知する人体検知センサ」を収納するのに対し、引用発明１の小便器では、この空間をどのように利用するのかが明らかでない点。
（相違点Ｂ）
　本件発明１の小便器は、「吐水部」を「収納室の前面」に設け、当該「吐水部」が、「収納室の前面に向けて洗浄水を吐水するように構成され」ているのに対し、引用発明１においては、洗浄水の吐水を行う部位がどこに設けられ、どのような向きに吐水するのかについて明らかでない点。
（相違点Ｃ）
　本件発明１の小便器は、小便器本体の上方端に形成された「収納室」の「前面」を、「小便器本体の上端から下方へ後方に向かっ」た「傾斜」としているのに対し、引用発明１は、小便器本体の上方端に形成された「所定の空間」の前面を、「下方へ後方に向かっ」た「傾斜」を備えてはいるものの、当該「傾斜」が「小便器本体の上端」から形成されたものではない点。
（相違点Ｄ）
　本件発明１の小便器は、「使用者を検知する人体検知センサ」を備え、「人体検知センサからの検知信号に基づいて洗浄水を吐水」するものであるのに対し、引用発明１の小便器は、何に基づいて洗浄水を吐水するのかが明らかでない点。
（イ）判断
ａ　相違点Ａ及びＢについて
　事案に鑑み、相違点Ａと相違点Ｂについて、あわせて検討する。
　上記第５の３（２）で認定したように、引用発明２は、「小便器本体の上方端に形成された上部の広い内部空間」に、センサー（本件発明１の「人体検知センサ」に相当する。）を収納した構成を備えたものである。
　次に、上記第５の４（２）で認定したように、引用発明３は、小便器の上方端に形成された上部の広い内部空間にスプレッダーの上流側端部を収納し、上記スプレッダーの射水口（本件発明１の「吐水部」に相当する。）から射水(本件発明１の「吐水」に相当する。)される洗浄水が、上記スプレッダーの傾斜流路を流れて、射水口から小便器の背壁面（本件発明１の「ボウル面」に相当する。）に向かって射水されるように構成したものである。
　小便器に「人体検知センサ」や「吐水部」を設けることは広く行われる一般的な技術であり、「人体検知センサ」や「吐水部」を設ける部位についての、引用発明Ａ又はＢにおける上記の構成を、それぞれ引用発明１に適用することは、当業者であれば容易になしうる事項である。
　そして、引用発明１に引用発明３を適用したものにおいては、スプレッダーの上流側端部を収納した「収納室の前面」に、スプレッダーの射水口（吐水部）が位置することは自明である。
　また、引用発明１、２及び３における、「小便器本体の上方端に形成された所定の空間」又は「小便器本体の上方端に形成された上部の広い内部空間」は、いずれも、その下部にあたる空間との間に明確な仕切りを設けたものではないが、「上方端に形成され」た所定の「空間」として認識されうるのであるから、本件発明１と同様に「室」に相当するということができる。また、仮にそうでないとしても、仕切りを設けて「室」形状とすることについては、当業者が適宜なしうる設計的事項である。
　そうすると、引用発明１に、引用発明２及び３を適用して、相違点Ａ及びＢに係る本願発明１の構成の如くすることは、当業者であれば想到容易である。
ｂ　相違点Ｃについて
　収納室の前面の傾斜について、引用発明１は、「小便器本体の上端」から形成されたものではない。
　一方、上記第５の４（２）で認定したように、引用発明３は、小便器（本件発明１の「小便器本体」に相当する。）の上方端に形成された上部の広い内部空間（本件発明１の「収納室」に相当する）の前面の傾斜を、小便器（小便器本体）の「上端」から形成した形状とした点を備えたものである。
　しかしながら、引用発明１と引用発明３とは、いずれも「小便器」に関する技術分野の発明である点では共通するものの、引用発明１には、小便器本体の収納室の前面の形状に関する技術的課題についての記載や示唆がなく、引用発明３についても、上記した形状とした技術的意義が明らかではないことから、引用発明１と引用発明３とが共通の課題を有するとはいえない。また、引用発明１は、正面図（上記第５の２（１）ウ）及び参考図（上記第５の２（１）エ）等からみて、ボウル面の周囲に全周にわたって傾斜面を設けた意匠を有するものと認められるところ、その一部のみを変更すれば、全周にわたる意匠が損なわれることになる。
　そうすると、引用発明３における上記の点を、引用発明１において、小便器の上方端に形成された所定の空間の前面の傾斜に換えて採用する動機付けがあるとはいえず、引用発明１に引用発明３の上記の点を適用し、相違点Ｃに係る本件発明１の構成を想起することは、当業者といえども容易になしうるものではない。
　また、本件発明１の相違点Ｃに係る構成を設計的事項とする理由もない。
　そして、本件発明１は、「従来の小便器においては、ボウル面の上方に自動洗浄ユニットが配置され、且つ、センサがボックスの前面に設けられた窓部に臨んで配置されているので、使用者がボウル面に近づき難く、その結果、使用者は、ボウル面から離れた位置に立ち、用を足すことになるので、小便（尿）がフロアに垂れて汚れ易く、また、不衛生となり、清掃に手間がかかる」（段落【０００４】）という問題を認識し、相違点Ｃに係る構成を備えることによって、「小便器本体の上方端に形成された収納室に便器洗浄装置が収納された小便器であっても、小便器本体の収納室の前面がボウル面と連続し且つ後方に向かって傾斜して形成されているので、使用者は、小便器のボウル面に近づき易くなる。それにより、使用者は、ボウル面に近づいた位置で用を足すことができ、それにより、フロア等が清潔となり、清掃の手間を少なくすることができる。」（段落【０００６】）という効果を奏するものである。
　そうすると、本件発明１は、引用発明１（甲第４号証）、引用発明２、引用発明３（甲第２号証）に基いて、当業者が容易に想到し得たものではない。
　また、甲第３号証、甲第５号証にも、相違点Ｃに係る本件発明１の構成は記載も示唆もされていない。
ｃ　小括
　相違点Ｃについては上記ｂのとおりであるから、本件発明１は、相違点Ｄについて検討するまでもなく、引用発明１（甲第４号証）、引用発明２、引用発明３（甲第２号証）に基いて、当業者が容易に発明をすることができたものではない。
（ウ）申立人の主張について
　申立人は、令和１年１２月４日提出の意見書において、「訂正事項３に関して、引用発明１（甲４）は、『ボウル面』が、便器（小便器本体）の背面側に形成された空間に含まれる『上方端に形成された所定の空間』の『前面の下端から下方に延び』ており、当該所定の空間の前面は小便器本体の上端から下方へ後方に向かって傾斜しているものであり、訂正発明１は、・・・（中略）・・・であるから、両者は『ボウル面』が、小便器本体の『上方端に形成された所定の空間の前面の下端から下方に延び』、当該空間の前面が小便器本体の上端から下方へ後方に向かって傾斜している点で共通する。」（意見書第１２ページ第１５行〜第２４行）と主張する。
　しかしながら、引用発明１は、「上記小空間及び上記上方空間の前面は、小便器本体の上端から下方へ前方に向かって傾斜した後、上記ボウル面と連続し且つ下方へ後方に向かって傾斜して形成され」たものであって、引用文献１（甲第４号証）には、「上記収納室の前面は、上記小便器本体の上端から下方へ後方に向かって傾斜して形成され」た点は開示されておらず、引用発明１が、上記の点を構成として備えているとはいえない。また、上記の点が、引用文献３（甲第２号証）には開示されていたとしても、引用発明１における、小便器の上方端に形成された所定の空間の前面の傾斜に換えて採用するための動機付けがあるとはいえず、引用発明１に引用文献３（甲第２号証）に開示された技術を適用して、相違点Ｃに係る本件発明１の構成を想起することが、当業者といえども容易になしうるものではないことは、上記（イ）ｂで述べたとおりである。
　そうすると、申立人の上記主張には理由がない。
イ　本件発明２〜４について
　本件発明２〜４は、本件発明１の発明特定事項をすべて含み、さらに減縮した発明であるから、本件発明１についての判断と同様の理由により、引用発明１（甲第４号証）、引用発明２、引用発明３（甲第２号証）に基いて、当業者が容易に発明をすることができたものではない。
ウ　小括
　本件発明１〜４は、引用発明１（甲第４号証）、引用発明２、引用発明３（甲第２号証）に基いて、当業者が容易に発明をすることができたものではない。
（２）引用文献４、２、３に基づく特許法第２９条第２項（進歩性）について
・引用文献４：中国特許出願公開第１０２５３５６０２号公報（甲第５号証）
・引用文献２：特開平７−２０７７４１号公報
・引用文献３：特開平９−１６５８０９号公報（甲第２号証）
ア　本件発明１について
（ア）対比
　本件発明１と引用発明４（上記第５の５（２））とを対比する。
ａ　引用発明４における「便器」、「洗浄装置」は、本件発明１における「小便器本体」、「便器洗浄装置」に相当する。
ｂ　引用発明４における「小便器」は、「便器の上方端に形成された所定の空間に収納された洗浄装置が洗浄水を放出する」ものであるから、本件発明１と同様に、「洗浄水によりボウル面を洗浄する」こと及び「洗浄水を吐水してボウル面を洗浄する」ことは、当業者にとって自明である。
ｃ　引用発明４における「便器」（小便器本体）の「下部領域に配置されて、排水管が接続された排水口」が、本件発明１における「ボウル面の底部に形成され洗浄水を下流側の排水流路へ排出する排水口」に相当することは、当業者にとって自明である。
ｄ　引用発明４における、便器（小便器本体）の背面側に形成された空間に含まれる「上方端に形成された所定の空間」と、本件発明１の「その上方端に形成された収納室」とは、「小便器本体」の「上方端に形成された所定の空間」である点で共通する。
ｅ　引用発明４は、フラッドセンサーが、小便器が使用されたことを検出して信号を伝達すると便器（小便器本体）の上方端に形成された所定の空間に収納された洗浄装置が洗浄水を放出するものであるから、本件発明１とは、洗浄水の吐水が、「センサからの検知信号に基づいて」行われることで共通する。また、引用発明４においても、洗浄水の吐水のためには、「吐水部」を備えていることは自明である。さらに、上記した如く、引用発明４は、センサと吐水部を備えているのだから、これらを合わせて、本件発明１のように「便器洗浄装置」を有したものであるといえる。
ｆ　引用発明４は、「ボウル面」が、便器（小便器本体）の背面側に形成された空間に含まれる「上方端に形成された所定の空間」の「前面の下端から下方に延び」ているものであり、本件発明１は、「ボウル面」が、（小便器本体の上方端に形成された）「収納室」の「前面の下端から下方に延び」ているものであるから、両者は、「ボウル面」が、小便器本体の「上方端に形成された所定の空間の前面の下端から下方に延び」ている点で共通する。
ｇ　「ボウル面と連続し且つ後方に向かって傾斜して形成され」るのが、引用発明４においては、便器（小便器本体）のボウル面の背面側に形成された空間の「上方端に形成された所定の空間」の「前面」であるのに対し、本件発明１においては、小便器本体の上方端に形成され、使用者を検知する人体検知センサを収納した収納室の、吐水部が設けられる前面であることから、引用発明４と本件発明１とは、「小便器本体」の「上方端に形成された所定の空間」の「前面」が「下方へ後方に向かって傾斜して形成され」た点で共通する。
ｈ　引用発明４において「ボウル面」と「一体構造」で形成されるのは、便器（小便器本体）のボウル面の背面側に形成された空間の「上方端に形成された所定の空間」の「前面」であるのに対し、本件発明１においては、小便器本体の上方端に形成され、使用者を検知する人体検知センサを収納した収納室の、吐水部が設けられる前面であることから、引用発明４と本件発明１とは、「小便器本体の上方端に形成された所定の空間」の「前面」と「ボウル面」とが「一体構造」である点で共通する。
ｉ　引用発明４は、「ボウル面が、上方から下方へ後方に向かって傾斜して円弧形状に形成され」たものであり、ボウル面の当該形状によれば、引用発明４においても、本願発明１と同様に、「小便がボウル面に当たった後に下方に落下する」ことは、当業者にとって自明である。
ｊ　そうすると、本件発明１と引用発明４とは、以下の一致点と相違点を有する。
（一致点）
「洗浄水によりボウル面を洗浄する小便器であって、
　上記ボウル面、このボウル面の底部に形成され洗浄水を下流側の排水流路へ排出する排水口、及び小便器本体の上方端に形成された所定の空間、を備えた小便器本体と、
　センサからの検知信号に基づいて洗浄水を吐水して上記ボウル面を洗浄する吐水部を備えた便器洗浄装置と、を有し、
　上記小便器本体の上方端に形成された所定の空間は、上記小便器本体の上方端に形成されると共に上記便器洗浄装置を収納するように構成され、
　上記小便器本体の上方端に形成された所定の空間の前面は、下方へ後方に向かって傾斜して形成され、上記小便器本体の上記ボウル面は、上記小便器本体の上方端に形成された所定の空間の前面の下端から連続して下方に延びており、
　上記小便器本体の上方端に形成された所定の空間の前面と上記ボウル面は、一体構造であり、且つ、上記ボウル面が、上方から下方へ後方に向かって傾斜して円弧形状に形成され、小便がボウル面に当たった後に下方に落下するように構成されている小便器。」
（相違点ａ）
　本件発明１の小便器は、「小便器本体」の「上方端に形成された所定の空間」を「収納室」として利用し、当該収納室に「使用者を検知する人体検知センサ」を収納するのに対し、引用発明４の小便器は、この空間に「洗浄装置」を収納するものの、センサを収納しない点、及びセンサが、引用発明４のように「使用者を検知する人体検知センサ」ではない点。
（相違点ｂ）
　本件発明１の小便器は、「吐水部」を「収納室の前面」に設けて、「収納室の前面に向けて洗浄水を吐水するように構成され」ているのに対し、引用発明４においては、「吐水部」の配置が、「収納室の前面」であるかどうかが明らかではなく、また、吐水がどのように行われるのかが明らかでない点。
（相違点ｃ）
　本件発明１の小便器は、小便器本体の上方端に形成された「収納室」の「前面」を、「小便器本体の上端から下方へ後方に向かっ」た「傾斜」としているのに対し、引用発明４は、「小便器本体」の「上方端に形成された所定の空間」の「前面」の「下方へ後方に向かっ」た「傾斜」を備えてはいるものの、当該「傾斜」が「小便器本体の上端」から形成されたものではない点。
（イ）判断
ａ　相違点ｃについて
　事案に鑑み、まず、相違点ｃについて検討する。
　収納室の前面の傾斜について、引用発明４は、「下方へ前方に向かって傾斜した後、上記ボウル面と連続し且つ後方に向かって傾斜して」形成されたものであって、「小便器本体の上端から下方へ後方に向かって」形成されたものではない。
　一方、上記第５の４（２）で認定したように、引用発明３は、小便器（本件発明１の「小便器本体」に相当する。）の上方端に形成された所定の空間（本件発明１の「収納室」に相当する）の前面の傾斜を、小便器（小便器本体）の「上端」から形成した形状とした点を備えたものである。
　しかしながら、引用発明４と引用発明３とは、「小便器」に関する発明という点で、技術分野が共通するものの、引用文献４には、小便器本体の収納室の前面の形状に関する技術的課題についての記載や示唆がなく、また、引用発明３についても、上記した形状とした技術的意義が明らかではないことから、引用発明４と引用発明３とが共通の課題を有するとはいえない。
　そうすると、引用発明３が備える上記の点を、引用発明４において、小便器の上方端に形成された所定の空間の前面の傾斜に換えて採用する動機付けがあるとはいえず、引用発明４に引用発明３が備える上記の点を適用して、相違点ｃに係る本件発明１の構成とすることは、当業者といえども容易になしうるものではない。
　また、本件発明１の相違点ｃに係る構成を設計的事項とする理由もない。
　そして、本件発明１は、「従来の小便器においては、ボウル面の上方に自動洗浄ユニットが配置され、且つ、センサがボックスの前面に設けられた窓部に臨んで配置されているので、使用者がボウル面に近づき難く、その結果、使用者は、ボウル面から離れた位置に立ち、用を足すことになるので、小便（尿）がフロアに垂れて汚れ易く、また、不衛生となり、清掃に手間がかかる」（段落【０００４】）という問題を認識し、甲１発明の構成の如くすることによって、「小便器本体の上方端に形成された収納室に便器洗浄装置が収納された小便器であっても、小便器本体の収納室の前面がボウル面と連続し且つ後方に向かって傾斜して形成されているので、使用者は、小便器のボウル面に近づき易くなる。それにより、使用者は、ボウル面に近づいた位置で用を足すことができ、それにより、フロア等が清潔となり、清掃の手間を少なくすることができる。」（段落【０００６】）ことを可能としたものである。
　そうすると、本件発明１は、引用発明４（甲第５号証）、引用発明２、引用発明３（甲第２号証）に基いて、当業者が容易に想到し得たものではない。
　また、甲第３号証、甲第５号証にも、相違点ｃに係る本件発明１の構成は記載も示唆もされていない。
ｂ　小括
　相違点ｃについては上記ａのとおりであるから、本件発明１は、その他の相違点を検討するまでもなく、引用発明４（甲第５号証）、引用発明２、引用発明３（甲第２号証）に基いて、当業者が容易に発明をすることができたものではない。
（ウ）申立人の主張について
　申立人は、令和１年１２月４日提出の意見書において、「訂正事項３に関して、引用発明４（甲５）は、『ボウル面』が、便器（小便器本体）の背面側に形成された空間に含まれる『上方端に形成された所定の空間』の『前面の下端から下方に延び』ており、当該所定の空間の前面は小便器本体の上端から下方へ後方に向かって傾斜しているものであり、訂正発明１は、・・・（中略）・・・であるから、両者は『ボウル面』が、小便器本体の『上方端に形成された所定の空間の前面の下端から下方に延び』、当該空間の前面が小便器本体の上端から下方へ後方に向かって傾斜している点で共通する。」（意見書第１６ページ第２行〜第１１行）と主張する。
　しかしながら、上記（イ）ａで述べたとおり、引用発明４は、「上記上方端に形成された所定の空間の前面は、下方へ前方に向かって傾斜した後、上記ボウル面と連続し且つ後方に向かって傾斜して形成され」たものであって、引用文献４（甲第５号証）には、「上記収納室の前面は、上記小便器本体の上端から下方へ後方に向かって傾斜して形成され」た点は開示されていない。また、上記の点は、引用文献３（甲第２号証）に開示されているものの、引用発明４における、小便器の上方端に形成された所定の空間の前面の傾斜に換えて採用する動機付けがあるとはいえず、引用発明４に引用文献３（甲第２号証）に開示された技術を適用して、相違点ｃに係る本件発明１の構成とすることが、当業者といえども容易になしうるものではない。
　そうすると、申立人の上記主張には理由がない。
イ　本件発明２〜４について
　本件発明２〜４は、本件発明１の発明特定事項をすべて含み、さらに減縮した発明であるから、本件発明１についての判断と同様の理由により、引用発明４（甲第５号証）、引用発明２、引用発明３（甲第２号証）に基いて、当業者が容易に発明をすることができたものではない。
ウ　小括
　本件発明１〜４は、引用発明４（甲第５号証）、引用発明２、引用発明３（甲第２号証）に基いて、当業者が容易に発明をすることができたものではない。
（３）引用文献３、２、１、４に基づく特許法第２９条第２項（進歩性）について
・引用文献３：特開平９−１６５８０９号公報（甲第２号証）
・引用文献２：特開平７−２０７７４１号公報
・引用文献１：意匠登録第１０２０１５４号公報（甲第４号証）
・引用文献４：中国特許出願公開第１０２５３５６０２号公報（甲第５号証）
ア　本件発明１について
（ア）対比
　本件発明１と引用発明３（上記第５の４（２））とを対比する。
ａ　引用発明３における「小便器１」、「射水」は、それぞれ、本件発明１における「小便器」、「吐水」に相当する。
ｂ　引用発明３における「スプレッダー４」は、その「上流側端部」も含めて、本件発明１の「吐水部」に相当するとともに、本件発明１の「便器洗浄装置」を構成するものである。
ｃ　引用発明３における「背壁面１ａ」は、その「上方の一部」が小便器（小便器１）の上方端に形成された所定の空間の前面を形成するものであるところ、当該「上方の一部」を除いた「背壁面１ａ」は、孔を設けた「底部」とあわせて、本件発明１における「ボウル面」に相当する。
ｄ　引用発明３の「小便器１」（小便器）が、「給水管２から供給される洗浄水」が「スプレッダー４」（吐水部）から「背壁面１ａ」（ボウル面）に射水されて「背壁面１ａ」（ボウル面）を「洗浄する」ことは、本件発明１の「小便器」が、「吐水部」で「洗浄水によりボウル面を洗浄する」ことに相当する。
ｅ　引用発明３における「底部」（ボウル面）に設けられた「孔」が、本件発明１における「ボウル面の底部に形成され洗浄水を下流側の排水流路へ排出する排水口」に相当することは、当業者にとって自明である。
ｆ　引用発明３の「スプレッダー４の上流側端部」が「収納」された「小便器１の上方端に形成された上部の広い内部空間」は、その下部にあたる空間との間に明確な仕切りを設けてはいないものの、「上部の広い内部空間」として、他と区別して認識される空間であるのだから、本件発明１の、「小便器本体の上方端」において「収納室」として「形成され」たものに相当し、また、「スプレッダー４の上流側端部」（吐水部）を「収納」しているのであるから、「便器洗浄装置」を「収納」するものであるといえる。
ｇ　引用発明３において、「スプレッダー４の上流側端部」（吐水部）が収納される「小便器１の上方端に形成された上部の広い内部空間」（収納室）の「前面」が、「小便器１の上端から下方へ後方に向かって傾斜して形成され」たことは、本件発明１における、「収納室の前面」が、「小便器本体の上端から下方へ後方に向かって傾斜して形成され」たことに相当する。
ｈ　引用発明３において、「小便器１の上方端に形成された上部の広い内部空間」（収納室）の「前面」は、「背壁面１ａの上方の一部」であって、「小便器１の上端から下方へ後方に向かって傾斜して形成され」たものであり、その「下端」、すなわち「背壁面１ａの上方の一部」の「下端」と、引用発明３の「背壁面１ａ」における「上方の一部」を除いた部分（ボウル面）とが、便器面として「連続して」延びていること、及び、「一体構造」であることは明らかである。したがって、引用発明３は、本件発明１と同様に、「ボウル面は、収納室の前面の下端から連続して下方に延び」、「小便器本体の収納室の前面とボウル面は、一体構造」である構成を備えたものであるといえる。
ｉ　引用発明３は、「小便器１の上方端に形成された上部の広い内部空間」（収納室）に「スプレッダー４の上流側端部」（吐水部）が収納されるものであり、引用発明３において、「スプレッダー４の覆蓋部４ｃの下端側には射水口５が形成されている」ことは、「スプレッダー４の下端側」の「射水口５」（吐水部）が、「小便器１の上方端に形成された上部の広い内部空間」（収納室）の「前面」に「設けられ」ていることに相当する。そして、引用発明３は、「覆蓋部４ｃの下端部側内面には傾斜した傾斜面６が形成されており、また、この傾斜面６と平行に前記当接部４ｂの内面にも傾斜面７が形成されており、この平行な傾斜面６と７により傾斜した傾斜流路Ｒ２が形成され、傾斜面６，７に沿って傾斜流路Ｒ２を流れ、射水口５から背壁面１ａに向かって射水されるものであり、この時に傾斜面６，７は背壁面１ａに対し角度が設定されているため、射水口５からの射水は背壁面１ａから剥がれることなく背壁面１ａに沿って確実に流下される」構成を備えているから、射水口５からの射水（吐水）が、スプレッダー４の傾斜流路Ｒ２により背壁面１ａに向けられることで、結果的に、本件発明１と同様に、洗浄水の吐水が、「小便器１の上方端に形成された上部の広い内部空間」（収納室）の「前面に向け」たものとなるといえる。したがって、引用発明３は、本件発明１と同様に、「収納室の前面には、吐水部が設けられ」、「吐水部」が「収納室の前面に向けて洗浄水を吐水する」構成を備えたものであるといえる。
ｊ　そうすると、本件発明１と引用発明３とは、次の一致点で一致し、（相違点ｉ）及び（相違点ｉｉ）で相違する。
（一致点）
「洗浄水によりボウル面を洗浄する小便器であって、
　上記ボウル面、このボウル面の底部に形成され洗浄水を下流側の排水流路へ排出する排水口、及び収納室、を備えた小便器本体と、
　洗浄水を吐水して上記ボウル面を洗浄する吐水部を備えた便器洗浄装置と、を有し、
　上記収納室は、上記小便器本体の上方端に形成されると共に上記便器洗浄装置を収納するように構成され、
　上記収納室の前面は、上記小便器本体の上端から下方へ後方に向かって傾斜して形成され、上記収納室の前面には、上記吐水部が設けられ、上記小便器本体の上記ボウル面は、上記収納室の前面の下端から連続して下方に延びており、
　上記吐水部は傾斜して形成された上記収納室の前面に向けて洗浄水を吐水するように構成され、
　上記小便器本体の収納室の前面と上記ボウル面は、一体構造である小便器。」
（相違点ｉ）
　本件発明１は、「便器洗浄装置」が「使用者を検知する人体検知センサ」を備えており、「この人体検知センサからの検知信号に基づいて洗浄水を吐水」するのに対し、引用発明３の「便器洗浄装置」は、「人体検知センサ」を備えていない点。
（相違点ｉｉ）
　本件発明１は、「ボウル面が、上方から下方へ後方に向かって傾斜して円弧形状に形成され、小便がボウル面に当たった後に下方に落下するように構成されている」のに対し、引用発明３は、ボウル面が、「上方から下方へ後方に向かって傾斜して円弧形状に形成され」ているとまではいえず、「小便がボウル面に当たった後に下方に落下する」という作用が生じるのかが不明な点。
（イ）判断
ａ　（相違点ｉｉ）について
　事案に鑑み、まず、（相違点ｉｉ）について検討する。
　上記第５の２（２）で認定したように、引用発明１は、ボウル面が、上方から下方へ後方に向かって傾斜して円弧形状に形成された点を備えたものである。
　しかしながら、引用発明３と引用発明１とは、「小便器」に関する発明という点で、技術分野が共通するものの、引用発明３は、従来の技術では「射水が背壁面１ａから剥がれやすく、飛沫が発生しやすいという問題点があった」（段落【０００２】）ことを課題としたものであって、ボウル面の円弧形状と作用に関する記載や示唆がなく、また、引用発明１についても、ボウル面を上記した形状とした技術的意義が明らかではないだけでなく、「ボウル面」を「円弧形状」として「小便がボウル面に当たった後に下方に落下するよう」にすることが自明の技術的課題であるともいえないから、引用発明３と引用発明１とが共通の課題を有するとはいえない。
　そうすると、引用発明１における上記の点を、引用発明３において採用する動機付けがあるとはいえず、引用発明３の「ボウル面」に引用発明１の「円弧形状」を適用して、「小便がボウル面に当たった後に下方に落下するよう」にした構成を想起することは、当業者といえども容易になしうるものではない。
　次に、上記第５の５（２）で認定したように、引用発明４は、ボウル面を、上方から下方へ後方に向かって傾斜して円弧形状に形成した点を備えている。
　しかしながら、引用発明４は、引用発明３について上記したのと同様に、「ボウル面」を「円弧形状」とした技術的意義が明らかではないだけでなく、「ボウル面」を「円弧形状」として「小便がボウル面に当たった後に下方に落下するよう」にすることが自明の技術的課題であるともいえないから、引用発明３と引用発明１とが共通の課題を有するとはいえない。
　そうすると、引用発明４における上記の点を、引用発明３において採用する動機付けがあるとはいえず、引用発明３の「ボウル面」に引用発明４の「円弧形状」を適用して、「小便がボウル面に当たった後に下方に落下するよう」にした構成を想起することは、当業者といえども容易になしうるものではない。
　また、本件発明１の（相違点ｉｉ）に係る構成を設計的事項とする理由もない。
　そして、引用発明２にも、（相違点ｉｉ）に係る本件発明１の構成は記載も示唆もされていない。
　本件発明１は、（相違点ｉｉ）に係る構成を備えることによって、「本発明によれば、さらに、小便器本体の収納室の前面とボウル面は、一体構造であり、且つ、ボウル面が、上方から下方へ後方に向かって傾斜して円弧形状に形成されているので、使用者は、小便器本体のボウル面に近づき易くなる。さらに、ボウル面に近づいた位置で用を足す場合にも、ボウル面が後方に向かって傾斜して円弧形状に形成されているので、小便がボウル面に当たった後に下方に落下するので、尿の飛散が防止でき、清掃性が向上する。」（段落【０００６】を参照。）という効果を奏するものである。
　そうすると、本件発明１は、引用発明３（甲第２号証）、引用発明２、引用発明１（甲第４号証）、引用発明４（甲第５号証）に基いて、当業者が容易に想到し得たものではない。
　また、甲第３号証にも、相違点ｉｉに係る本件発明１の構成は記載も示唆もされていない。
ｂ　小括
　（相違点ｉｉ）については上記ａのとおりであるから、本件発明１は、（相違点ｉ）について検討するまでもなく、引用発明３（甲第２号証）、引用発明２、引用発明１（甲第４号証）、引用発明４（甲第５号証）に基いて、当業者が容易に発明をすることができたものではない。
（ウ）申立人の主張について
ａ　申立人は、令和１年１２月４日提出の意見書で以下の主張をしている。
・「エ．訂正発明１では、上記訂正事項・・・（中略）・・・が請求項１に導入されたことから、取消理由通知における引用文献３（甲２）を主引用例とする取消理由も有効となる。・・・引用文献３には、小便器の上方端に収納室が設けられ、収納室の前面が小便器本体の上端から下方へ後方に向かって傾斜して形成され、収納室の前面に吐水部が設けられることが記載されている（段落２〜５及び８）。」（意見書第１９ページ下から第１行〜第２０ページ第４行）
・「オ．訂正発明１と引用発明３とを対比すると、前者では、使用者を検知して洗浄水を吐水させる人体検知センサが収納室に設けられているのに対し、後者はそのような記載がない点で相違するが、取消理由通知における引用文献２（特開平７−２０７７４１号公報）に、引用発明３と同様の収納室に、使用者を検知して洗浄水を吐水させるセンサー１２が記載されているように、小便器の上端の収納室に人体検知センサを設けることは周知慣用技術であるから（本件出願の審査で用いられた複数の先行技術（実願平４−１５０４号（実開平５−６１２７１号）のＣＤ−ＲＯＭ、特開２００２−２１１６０号公報、特開２００５−１８００６４号公報）も参照）、上記相違点は当業者であれば適宜採用しうる程度の設計的事項に過ぎない。
　よって、訂正発明１は、引用発明３及び周知技術に基づいて、当業者が容易に発明をすることができたものでああり（当審注：「ああり」は「あり」の誤記と認める。）、特許法第２９条第２項に違反している。」（意見書第２０ページ下から第１１行〜第２１ページ第２行）
・「（３−５−２）訂正発明２〜４
　引用文献３には、訂正発明２〜４で追加的に特定された事項が記載されており、訂正発明１の甲で述べた上記相違点以外に相違点を有さないから、訂正発明２〜４は、引用発明３及び周知技術に基づいて、当業者が容易に発明をすることができたものであり、特許法第２９条第２項に違反している。」（意見書第２０ページ第３行〜第７行）
ｂ　対比・判断
（ａ）対比
　本件発明１と引用発明３（甲第２号証）との対比については、上記（ア）に述べたとおりである。
（ｂ）判断
　主引用発明を引用発明３（甲第２号証）としたときの、本件発明１についての判断は、上記（イ）に述べたとおりである。
　また、意見書で挙げられた上記先行技術（実願平４−１５０４号（実開平５−６１２７１号）のＣＤ−ＲＯＭ、特開２００２−２１１６０号公報、特開２００５−１８００６４号公報）にも、上記（相違点ｉｉ）に係る本件発明１の構成は記載も示唆もされていない。
　そうすると、本件発明１〜４は、引用発明３（甲第２号証）、引用発明２、先行技術（実願平４−１５０４号（実開平５−６１２７１号）のＣＤ−ＲＯＭ、特開２００２−２１１６０号公報、特開２００５−１８００６４号公報）に基いて、当業者が容易に発明をすることができたものとはいえず、申立人のかかる主張は、採用することができない。
３　まとめ
　以上のとおり、本件発明１〜３は、甲１発明（甲第１号証）と同一ではない。
　したがって、本件発明１〜３に係る特許は、特許法第２９条の２の規定に違反したものではない。
　また、以上のとおり、本件発明１〜４は、引用発明１（甲第４号証）、引用発明２、引用発明３（甲第２号証）に基いて、当業者が容易に発明をすることができたものではなく、引用発明４（甲第５号証）、引用発明２、引用発明３（甲第２号証）に基いて、当業者が容易に発明をすることができたものでもなく、さらに、引用発明３（甲第２号証）、引用発明２、引用発明１（甲第４号証）、引用発明４（甲第５号証）に基いて、当業者が容易に発明をすることができたものでもない。
　したがって、本件発明１〜４に係る特許は、特許法第２９条第２項の規定に違反したものではない。
第７　むすび
　以上のとおりであるから、取消理由通知に記載した取消理由及び特許異議申立書に記載した特許異議申立理由によっては、本件請求項１〜４に係る特許を取り消すことはできない。
　また、他に本件請求項１〜４に係る特許を取り消すべき理由を発見しない。
　よって、結論のとおり決定する。
【異議決定日】
令和２年１月１７日（２０２０．１．１７）
【訂正の要旨】
審決（決定）の【理由】欄参照。
（５４）【発明の名称】
小便器
　【技術分野】
　【０００１】
　本発明は、小便器に係り、特に、小便（尿）の飛散を防止した小便器に関する。
　【背景技術】
　【０００２】
　従来から、例えば、特許文献１に記載されたような、ボウル面の上方に自動洗浄ユニットが配置された小便器が知られている。この小便器の自動洗浄ユニットは、ボックス内に収納され、小便器前方の使用者を検知するセンサと、このセンサによる使用者の検知に基づいて給水路を開閉する電磁弁と、この電磁弁の作動を制御する制御部とを備え、これらが、ボックス内に収納されるようになっている。この小便器においては、センサがボックスの前面に設けられた窓部に臨んで配置され、このセンサが使用者を検知するとスプレッダから洗浄水が吐水され、ボウル面を洗浄するようになっている。
　【先行技術文献】
　【特許文献】
　【０００３】
　【特許文献１】特開２００２−２１１６０号公報
　【発明の概要】
　【発明が解決しようとする課題】
　【０００４】
　しかしながら、上述した従来の小便器においては、ボウル面の上方に自動洗浄ユニットが配置され、且つ、センサがボックスの前面に設けられた窓部に臨んで配置されているので、使用者がボウル面に近づき難く、その結果、使用者は、ボウル面から離れた位置に立ち、用を足すことになるので、小便（尿）がフロアに垂れて汚れ易く、また、不衛生となり、清掃に手間がかかるという問題がある。
　さらに、使用者がボウル面に近い位置で用を足した場合であっても、ボウル面が鉛直方向に形成されているので、小便（尿）がボウル面に衝突したとき、ボウル面で跳ね返り、小便器外に飛散し、それより、フロア等が不衛生となるという問題もある。
　【０００５】
　本発明は、上述した問題を解決するためになされたものであり、使用者がボウル面に近い位置に近づき易くなり、小便（尿）の飛散を効果的に防止することができる小便器を提供することを目的としている。
　【課題を解決するための手段】
　【０００６】
　上記の目的を達成するために、本発明は、洗浄水によりボウル面を洗浄する小便器であって、ボウル面、このボウル面の底部に形成され洗浄水を下流側の排水流路へ排出する排水口、
及び
及び
収納室は、小便器本体の上方端に形成されると共に便器洗浄装置を収納するように構成され、収納室の前面は、小便器本体の上端から下方へ後方に向かって傾斜して形成され、収納室の前面には、吐水部が設けられ、
連続して
　上記のように構成された本発明においては、小便器本体の上方端に形成された収納室に便器洗浄装置が収納された小便器であっても、小便器本体の収納室の前面がボウル面と連続し且つ後方に向かって傾斜して形成されているので、使用者は、小便器のボウル面に近づき易くなる。それにより、使用者は、ボウル面に近づいた位置で用を足すことができ、それにより、フロア等が清潔となり、清掃の手間を少なくすることができる。さらに、小便器本体の収納室の前面がボウル面と連続して形成されているので、収納室の前面とボウル面を一緒に掃除することができ、清掃性が向上する。本発明によれば、さらに、小便器本体の収納室の前面とボウル面は、一体構造であり、且つ、ボウル面が、上方から下方へ後方に向かって傾斜して円弧形状に形成されているので、使用者は、小便器本体のボウル面に近づき易くなる。さらに、ボウル面に近づいた位置で用を足す場合にも、ボウル面が後方に向かって傾斜して円弧形状に形成されているので、小便がボウル面に当たった後に下方に落下するので、尿の飛散が防止でき、清掃性が向上する。
　また、上記のように構成された本発明において、便器洗浄装置の吐水部が、小便器本体の収納室の前面に向けて洗浄水を吐水するように構成されているので、使用者は吐水部に向かって近づこうとして、使用者が小便器のボウル面に近づき易くなる。
　【０００８】
　本発明において、好ましくは、小便器本体の収納室の前面は、排出口の中心よりも後方に位置している。
　上記のように構成された本発明において、小便器本体の収納室の前面が平面視で排出口の中心よりも後方に位置しているので、小便器本体の収納室の前面が後方に位置している距離だけ、使用者は、小便器のボウル面に近づき易くなる。
　【０００９】
　本発明において、好ましくは、小便器本体の収納室の前面は、平面視で、その中央部が両端部よりも後方に位置するように構成されている。
　上記のように構成された本発明において、小便器本体の収納室の前面が平面視でその中央部が両端部よりも後方に位置するように構成されているので、小便器本体の収納室の前面の中央部が両端部よりも後方に位置する距離だけ、使用者は、小便器本体のボウル面に近づき易くなる。さらに、小便器本体の収納室の前面が平面視でその中央部が両端部よりも後方に位置するように構成されているので、隣の小便器を使用する使用者への遮蔽性が向上する。
　【００１１】
　本発明において、好ましくは、人体検知手段は、吐水部と一体構造である。
　上記のように構成された本発明において、人体検知手段が吐水部と一体構造であるので、便器洗浄装置をコンパクトにすることができ、それにより、収納室の前後方向長さを短くすることができる。この収納室の前後方向長さが短くなった距離だけ、使用者が小便器本体のボウル面に近づき易くなる。
　【発明の効果】
　【００１２】
　本発明の小便器によれば、使用者がボウル面に近い位置に近づき易くなり、小便（尿）の飛散を効果的に防止することができる。
　【図面の簡単な説明】
　【００１３】
　【図１】本発明の実施形態による小便器を示す全体斜視図である。
　【図２】図１の小便器の正面図である。
　【図３】図１の小便器の側面図である。
　【図４】図１の小便器の平面図である。
　【図５】本発明の実施形態による小便器の自動便器清浄ユニット（便器清浄装置）を示す斜視図である。
　【図６】図５の自動便器清浄ユニットの側面図である。
　【図７】図５の自動便器清浄ユニットのスプレッダ及び人体検知センサの部分を示す拡大斜視図である。
　【図８】図７のＶＩＩＩ−ＶＩＩＩ線に沿って見た断面図である。
　【図９】本発明の実施形態による小便器の使用状態を説明するための図３に相当する断面図である。
　【発明を実施するための形態】
　【００１４】
　添付図面を参照して、本発明の実施形態による小便器を説明する。先ず、図１乃至図４により小便器の基本構造を説明する。図１は本発明の実施形態による小便器を示す全体斜視図であり、図２は図１の小便器の正面図であり、図３は図１の小便器の側面図であり、図４は図１の小便器の平面図である。
　【００１５】
　図１乃至図４に示すように、符号１は、本発明の実施形態による小便器を示し、この小便器１は、陶器製の小便器本体２と、詳細は後述するが、この小便器本体２を洗浄するための自動便器洗浄ユニット４（図２及び図３参照）を備えている。
　【００１６】
　小便器１の小便器本体２は、上方端に上述した自動便器洗浄ユニット４を収納するための収納室６と、この収納室６の前面７から下方に延びるボウル面８と、このボウル面８の底部に形成された排出口１０とを備えている。
　【００１７】
　収納室６は、小便器本体２と別体である蓋３により形成されている。また、収納室６の前面７は、詳細は後述するように、後方に向かって傾斜して形成されている。また、排出口１０には、目皿板１２が配置されている。さらに、排出口１０は、下流側に配置された排水流路（図示せず）に接続されている。
　【００１８】
　次に、図５乃至図８により、自動便器洗浄ユニット４について説明する。図５は本発明の実施形態による小便器の自動便器清浄ユニット（便器清浄装置）を示す斜視図であり、図６は図５の自動便器清浄ユニットの側面図であり、図７は図５の自動便器清浄ユニットのスプレッダ及び人体検知センサの部分を示す拡大斜視図であり、図８は図７のＶＩＩＩ−ＶＩＩＩ線に沿って見た断面図である。
　【００１９】
　自動便器洗浄ユニット４は、上流側から洗浄水を供給する給水管１４と、この給水管１４の先端に取り付けられた吐水部であるスプレッダ１６と、使用者の有無を検知する人体検知センサ１８と、給水管１４に取り付けられ給水の供給及び停止を行う電磁弁２０と、人体検知センサ１８からの検知信号に基づいて電磁弁２０のオン・オフを制御する制御ユニット２２と、を備えている。
　【００２０】
　人体検知センサ１８は、小便器１の前方の使用者の有無及び使用者までの距離を検知する赤外線式のセンサである。この人体検知センサ１８により使用者が用を足して小便器１から所定距離離れたことを検知した場合に、制御ユニット２２から検知信号が発信され、この検知信号により、電磁弁２０がオンとなり、給水管１４からスプレッダ１６に洗浄水が供給され、小便器１のボウル面８が洗浄されるようになっている。
　【００２１】
　図８に示すように、この自動洗浄ユニット４において、スプレッダ１６が、小便器本体２の収納室６の前面７に取り付けられている。このスプレッダ１６には、吐水口１６ａが形成され、この吐水口１６ａは、収納室６の前面７の後方側への傾きよりもより後方側に傾くように形成され、これにより、スプレッダ１６から収納部６の前面７に向けて洗浄水が吐水されるようになっている。また、自動洗浄ユニット４において、人体検知センサ１８は、スプレッダ１６と一体構造となっている。
　【００２２】
　再び、図１乃至図４に戻り、小便器１の小便器本体２の詳細構造を説明する。先ず、図３に示すように、小便器本体３において、収納室６の前面７は、ボウル面８と一体構造となっている。さらに、収納室６の前面７は、ボウル面８の上方側と連続して形成され、さらに、後方に向かって傾斜して形成されている。ここで、収納室６の前面７とボウル面８の「連続」は、収納室６の前面７とボウル面８が、面一に、又は、ほぼ面一に形成されていることを意味している。また、完全な面一である必要はなく、例えば、小さな段差があってもよく、収納室６の前面からボウル面８へと流れる洗浄水が剥離することがなければ良い。
　【００２３】
　収納室６の前面７には、上述したように、自動洗浄ユニット４のスプレッダ１６が取り付けられており、収納室６の前面７のスプレッダ１６が取り付けられている位置における後方への傾斜角θ（図３及び図８参照）は、１５度である。この傾斜角θは、１０度〜２５度の範囲内が好ましい。
　【００２４】
　次に、小便器本体２の収納室６の前面７とボウル面８は、共に、上方から下方へ後方に向かって傾斜して円弧形状に形成されている。具体的には、図３に示すように、収納室６の前面７とボウル面８の上方側は、大きな曲率半径である曲率半径Ｒ１により形成され、ボウル面８の下方側は、曲率半径Ｒ１よりも小さな曲率半径である曲率半径Ｒ２（＜Ｒ１）により形成されている。
　【００２５】
　次に、図４に示すように、小便器本体２の収納室６の前面７は、平面視で、排水口１０の中心よりも後方側に位置している。
　また、収納室６の前面７は、その中央部７ａが両端部７ｂ，７ｃよりも後方に位置するような形状となっている。
　さらに、小便器本体２のボウル面８の後方側は、平面視で、曲率半径Ｒ３によるほぼ円弧形状により形成されている。
　【００２６】
　次に、上述した本実施形態による小便器による作用及び動作を説明する。先ず、本実施形態による小便器１は、自動便器洗浄ユニット４が小便器本体２の上方端に形成された収納室６内に収納されたタイプの小便器である。本実施形態においては、このようなタイプの小便器１において、小便器本体２の収納室６の前面７がボウル面８と連続し且つ後方に向かって傾斜して形成されている。このため、本実施形態による小便器１によれば、使用者が小便器本体２のボウル面８に近づき易くなり、それにより、使用者は、ボウル面８に近づいた位置で用を足すことができ、それにより、フロア等が清潔となり、清掃の手間を少なくすることができる。さらに、小便器本体２の収納室６の前面７がボウル面８と連続して形成されているので、収納室６の前面７とボウル面８を一緒に掃除することができ、清掃性が向上する。
　【００２７】
　また、本実施形態による小便器１においては、小便器本体２の収納室６の前面７とボウル面８は、一体構造であり、且つ、上方から下方へ後方に向かって傾斜して円弧形状に形成されているので、使用者は、小便器本体２のボウル面８に近づき易くなる。さらに、ボウル面８に近づいた位置で用を足す場合にも、ボウル面８が後方に向かって傾斜して円弧形状に形成されているので、小便がボウル面に当たった後に前方に跳ね返ることがなく、下方に落下するので、尿の飛散が防止でき、清掃性が向上する。
　【００２８】
　具体的に説明すると、図９は、本実施形態による小便器の使用状態を示しており、この図９に示すように、使用者Ｍが用を足したとき、小便の一部Ｆ１は、ボウル面８に当たって跳ね返るが、ボウル面８が後方に向かって傾斜して円弧形状に形成されているので、下方に落下する。また、小便の一部Ｆ２は、ボウル面８に当たってそのままボウル面８の表面に沿って下方に流れる。
　【００２９】
　また、小便器本体２の収納室６の前面７が排出口１０の中心よりも後方に位置しているので、小便器本体２の収納室６の前面７が後方に位置している距離だけ、使用者は、小便器１のボウル面８に近づき易くなる。
　【００３０】
　また、小便器本体２の収納室６の前面７が、平面視で、その中央部７ａが両端部７ｂ，７ｃよりも後方に位置するように構成されているので、小便器本体２の収納室６の前面７の中央部７ａが両端部７ｂ，７ｃよりも後方に位置する距離だけ、使用者は、小便器２のボウル面８に近づき易くなる。さらに、小便器本体２の収納室６の前面７が平面視でその中央部７ａが両端部７ｂ，７ｃよりも後方に位置するように構成されているので、隣の小便器を使用する使用者への遮蔽性（見え難くなる）が向上する。
　【００３１】
　また、自動便器洗浄ユニット４のスプレッダ１６が小便器本体２の収納室６の前面７に設けられ、それにより、洗浄水が収納室６の前面７に向けて洗浄水が吐水されるので、使用者はスプレッダ１６に向かって近づこうとして、使用者が小便器本体２のボウル面に近づき易くなる。
　【００３２】
　また、人体検知センサ１８がスプレッダ１６と一体構造である、自動便器洗浄ユニット４をコンパクトにすることができ、それにより、収納室６の前後方向長さを短くすることができる。この収納室６の前後方向長さが短くなった距離だけ、使用者が小便器本体２のボウル面８に近づき易くなる。
　【００３３】
　以上説明したように、本発明の実施形態による小便器によれば、使用者が小便器本体２のボウル面８に近づき易くなり、それにより、使用者は、ボウル面８に近づいた位置で用を足すことができ、フロア等が清潔となり、清掃の手間を少なくすることができる。
　【符号の説明】
　【００３４】
１　小便器
２　小便器本体
４　自動便器洗浄ユニット（便器洗浄装置）
６　収納室
７　前面
８　ボウル面
１０　排水口
１４　給水管
１６　スプレッダ
１８　人体検知センサ
２０　電磁弁
２２　制御ユニット
（５７）【特許請求の範囲】
　【請求項１】
　洗浄水によりボウル面を洗浄する小便器であって、
　
上記
及び
　使用者を検知する人体検知センサ、
及び
　
上記収納室は、上記小便器本体の上方端に形成されると共に上記便器洗浄装置を収納するように構成され、
　
上記収納室の前面は、上記小便器本体の上端から下方へ後方に向かって傾斜して形成され、上記収納室の前面には、上記吐水部が設けられ、
上記
連続して
　上記吐水部は傾斜して形成された上記収納室の前面に向けて洗浄水を吐水するように構成され、
　上記小便器本体の収納室の前面と上記ボウル面は、一体構造であり、且つ、上記ボウル面が、上方から下方へ後方に向かって傾斜して円弧形状に形成され、小便がボウル面に当たった後に下方に落下するように構成されている小便器。
　【請求項２】
　上記小便器本体の収納室の前面は、上記排水口の中心よりも後方に位置している請求項１に記載の小便器。
　【請求項３】
　上記小便器本体の収納室の前面は、平面視で、その中央部が両端部よりも後方に位置するように構成されている請求項１又は２に記載の小便器。
　【請求項４】
　上記人体検知センサは、上記吐水部と一体構造である請求項１乃至３の何れか１項に記載の小便器。